【事件の表示】
　特願２００７−１０４４２６「ペットフード組成物」拒絶査定不服審判事件〔平成１９年７月１９日出願公開，特開２００７−１８１４７３〕について，次のとおり審決する。
【結　論】
　本件審判の請求は，成り立たない。
【理　由】
第１．手続の経緯　
　本願は，平成１７年５月５日（パリ条約による優先権主張外国庁受理：平成１６年５月１０日，米国）を国際出願日とする特許出願２００７−５１３２４１号の一部を分割して，平成１９年４月１２日に新たな特許出願としたものであって，平成２２年７月２７日付けで拒絶査定がなされ，これに対し，同年１１月３０日付けで拒絶査定不服審判が請求されるとともに，同時に提出された手続補正書により特許請求の範囲の補正（以下，「本件補正」という。）がなされたものである。
　その後，平成２３年５月１６日付けで，審判請求人に前置報告書の内容を示し意見を求めるための審尋を行ったところ，同年１１月１７日に回答書が提出されたものである。
　
第２．本件補正についての補正の却下の決定　
［補正の却下の決定の結論］
　本件補正を却下する。
　
［理由］　
１．補正の内容
　本件補正は，特許請求の範囲の請求項１を，以下に記載する「補正前」のものから，「補正後」のものに補正しようとする事項を含むものである（下線は補正前後で相違する箇所に当審にて付与）。
　
（補正前：平成２２年６月１１日付けの手続補正書）
「【請求項１】
　アボカド、アルファルファ、イチジク、サクラソウ及びこれらの混合物からなる群から選択される植物の抽出物
を含む
　栄養的にバランスがとれており、かつ
　前記組成物の約５重量％
未満
　
（補正後）
「【請求項１】
　アボカド、アルファルファ、イチジク、サクラソウ及びこれらの混合物からなる群から選択される
酵素消化された
からなる
　栄養的にバランスがとれており、かつ
　前記組成物の
約０．０００１重量％〜
　
２．補正の適否の判断（新規事項）　
　本件補正は，請求項１に記載された「栄養的にバランスがとれ」た「ペットフード組成物」について，「アボカド、アルファルファ、イチジク、サクラソウ及びこれらの混合物からなる群から選択される植物の抽出物」を「含む」ものから，当該植物の抽出物「からなる」ものと，すなわち，「栄養的にバランスがとれ」た「ペットフード組成物」が，「植物の抽出物」そのものであると，補正しようとするものである。
　なお，請求人も，審判請求書の（４）(ii）欄において，本件補正後の請求項１に係る発明の技術的特徴について，「植物抽出物をペットフード組成物として用いること、および、
該抽出物がそのままの状態で約０．０００１重量％〜約５重量％
　
　しかしながら，願書に最初に添付された明細書又は特許請求の範囲（以下，「当初明細書等」という。）には，段落【００３１】において，ペットフード組成物に関して「栄養的にバランスのとれた」との用語について，「当該組成物が、ペット栄養学分野の第一人者らの推奨に基づいた適切な量及び割合で、生命を維持するために必要な既知の栄養素を有することを意味する」と定義したうえで，同段落に「１つ以上の食品組成物成分と組み合わせること」が記載されるとともに，実施例として，段落【００４０】に，「アボガド抽出物を、…ペットフード組成物内で利用する」ことが開示され（実施例１），段落【００４３】の【表１】及び段落【００４４】の【表２】に，植物の抽出物を動物性タンパク質等に混合したギブル組成物又はグレービー組成物が開示され（実施例２，３）ているものの，植物の抽出物のみにより，栄養的にバランスのとれたペットフード組成物とすることについては開示されていない。
　また，植物の抽出物について説明する段落【００４２】には，抽出物が「炭水化物抽出物」である旨が開示されているが，このような抽出物が「栄養的にバランスのとれた」ものでないことは明らかである。
　
　請求人は，審判請求書の（３）欄において，本件補正の根拠について，当初明細書等の段落【０００８】の「『（ｃ）該消化植物混合物を濃縮し、その中の炭水化物の濃度を高めること、からなる。』との記載に基づくものです。」と説明し，本件補正は「本願当初明細書の記載に基づくものであり、適法なものです。」と主張するものの，当該段落の記載は，単に，植物の抽出物の抽出工程において，炭水化物の濃度を高める工程が存在することを説明するのみで，植物の抽出物そのものが，「栄養的にバランスがとれた」ペットフード組成物であることを説明するものではない。
　
　してみると，本件補正は，当初明細書等のすべての記載を総合することによって導かれる技術的事項との関係において新たな技術的事項を導入するものであって，当初明細書等に記載した事項の範囲内においてしたものではないので，平成１８年法律第５５号改正附則第３条第１項によりなお従前の例によるとされる同法による改正前の特許法（以下，「改正前特許法」という。）第１７条の２第３項の規定に違反している。
　
３．むすび　
　以上のとおり，本件補正は，改正前特許法第１７条の２第３項の規定に違反するので，同法第１５９条第１項において読み替えて準用する同法第５３条第１項の規定により却下すべきものである。
　よって，補正の却下の決定の結論のとおり決定する。
　
　なお，本件補正が，請求項１に係る発明の植物の抽出物について，「酵素消化された」ものであることを限定しようとしている点について検討して付記するに，植物原料からの成分抽出にあたり，引用例２の下記摘記事項（２ｅ）に記載されるようなエタノールを用いた抽出法を使用することに代えて，セルラーゼ等の多糖分解酵素を用いた抽出法を使用することは，例えば，
　　Ａ．特開２００２−１０４９８１号公報
　　　　（特に，段落【０００３】及び【０００６】の記載を参照）
　　Ｂ．特開平６−４０９２９号公報
　　　　（特に，段落【０００５】〜【００１１】の記載を参照）
に開示されるように周知技術であるから，植物の抽出物を酵素消化されたものとすることに技術的困難性は認められない。
　
（補正の適否の判断についての付記）
　請求人は，回答書の（２）欄において，本件補正後の請求項１の記載から「栄養的にバランスがとれており、かつ」との発明特定事項を削除する用意があり，削除後の請求項１に係る発明（以下，「補正案発明」という。）は，「本願当初明細書の段落０００８の４〜７行の記載から当業者にとって自明です。」と主張している。
　しかしながら，補正案発明のように，植物の抽出物そのものからなるペットフードにおいて，マンノヘプツロース等の炭水化物抽出物を当該ペットフードの約０．０００１重量％〜約５重量％とすることについても，当初明細書等に記載されていない。
　炭水化物の抽出に関する唯一の実施例（実施例１）について記載する当初明細書等の段落【００４２】には，抽出された炭水化物抽出物が，原料となる「アボガドの果実全体の最初の質量を基準にして、約１１％の収率の炭水化物抽出物であり、これは、アボガドの果実全体の最初の質量を基準にして、約４．５％の収率のマンノヘプツロースとして分析される。」と説明されており，また，段落【００１１】に，「すべての百分率及び比率は、特に記述しない限り、重量基準にて計算される。」と記載されていることを加味すると，実施例１における「炭水化物抽出物」そのものをペットフードとした場合には，マンノヘプツロースはペットフードの約４１重量％（＝４．５÷１１）を占めており，補正案発明のように「約０．０００１重量％〜約５重量％」ではない。
　また，請求人が根拠として主張する当初明細書等の段落【０００８】の第４〜７行目には，「（ｂ）該植物と、水溶液と、所望により酵素と、更に所望により加熱とを組み合わせ、消化植物混合物を提供し；及び」，「（ｃ）該消化植物混合物を濃縮し、その中の炭水化物の濃度を高めること、からなる。」との記載があるのみであり，マンノヘプツロース等の炭水化物抽出物が，ペットフードの約０．０００１重量％〜約５重量％であることについて，記載も示唆もない。
　よって，補正案発明も新たな技術的事項を導入するものであって，当初明細書等に記載した事項の範囲内においてしたものではないことを付記する。
　
第３．本願発明について
１．本願発明の認定
　本件補正は上記のとおり却下されたので，本願の請求項１に係る発明（以下，「本願発明」という。）は，第２．［理由］１．（補正前：平成２２年６月１１日付けの手続補正書）欄に記載したとおりのものと認める。
　
２．引用例
（１）引用例１
　原査定の拒絶の理由に引用された本願優先日前に頒布された刊行物である
　　米国特許出願公開第２００２／３５０７１号明細書（以下，「引用例１」という。）
には，次の事項が記載されている。
　
（１ａ）「FIELD OF THE INVENTION  
[0002]  This invention relates to the use of glucose anti-metabolites to alter utilization of glucose or other energy sources and to mimic metabolic effects of caloric restriction. 」
（当審訳：【発明の属する技術分野】
【０００２】本発明は，グルコースあるいは他のエネルギー源の利用を変更し，カロリー制限による代謝抑制を擬似的に作るための，グルコース代謝抑制物質の利用の関するものである。）
　
（１ｂ）「DESCRIPTION OF THE INVENTION
[0007]  It is the purpose of this invention to provide benefits associated with caloric restriction by controlled administration of antimetabolites of glucose. Judicious use of compounds that block the normal metabolism of cellular glucose can result in changes in physiological function that are similar to those arising from caloric restriction. …」
（当審訳：【発明の詳細な説明】
【０００７】本発明の目的は，グルコースの代謝抑制物質の投与が管理されることによるカロリー制限に関連した利益を提供することにある。細胞のグルコースの通常代謝を阻止する化合物をうまく利用することにより，カロリー制限により発生する生理作用の変化に似た変化を得ることができる。…）
　
（１ｃ）「 EXAMPLE I  
[0024]  Preparation of Mannoheptulose-containing Supplement: 
[0025]  Fresh avocados (Lula variety) were obtained from Fresh King Incorporated (Homestead, Fla.). The avocados were manually split open and the pits were removed and discarded. The remaining skin and pulp were ground through a Hobart Commercial Food Preparation machine (serial # 11-10410235) using a 121/4 sieve. The ground avocado was then transferred to an Edwards Freeze Drier (Super Modulyo Model, Crawely, Sussex, England). The freeze drier was set at -20℃ for the first 24 hours, -5℃ for the following 24 hours and 5℃  for the final 72 hours. Upon removal from the freeze drier, the meal was ground to a powder using a Straub Grinding Mill (model 4E, Philadelphia, Pa.). The avocado meal was analyzed and found to contain 10.35% mannoheptulose. (It should be noted that the amount of mannoheptulose found in avocados varies with the particular strain, some avocados having little or no mannoheptulose.) 」
（当審訳：実施例１
【００２４】マンノヘプツロース含有サプリメントの調製について
【００２５】新鮮なアボガド（ルラ種）を，フレッシュ・キング社（ホームステッド，フロリダ州）から入手した。アボガドは，手で切り裂き，核は取り除かれて廃棄された。残りの皮と果肉は，121/4 のふるいを使用して、ホーバート商用食品調製機(製品番号11-10410235)によって挽かれた。挽かれたアボガドは，エドワーズ凍結乾燥機(Super Modulyo型，クローリー市，サセックス州，イギリス）に送り込んだ。凍結乾燥は，−２０℃で２４時間，−５℃で２４時間，５℃で７２時間行った。凍結乾燥機から取り出してすぐに，その粗びき物はシュトラウブ製粉機（４Ｅ型，フィラデルフィア，ペンシルバニア州）を使用して粉状に粉砕された。そのアボガド粉末は分析され，１０．３５%のマンノヘプツロースを含むことが確認された。（アボガド中のマンノヘプツロースの総量は，アボガドの種類によって変化し，種類によっては，マンノヘプツロースを少しか又は全く含まないことに留意すべきである。））
　
（１ｄ）「 EXAMPLE II  
[0026]  Administration of Mannoheptulose to Beagle Dogs: 
[0027]  The use of mannoheptulose for purposes of obtaining benefits associated with inhibiting metabolism of glucose was tested in beagle dogs. A total of 12 beagles were utilized for the study and were fed a standard commercial diet throughout the study period. Fasting blood samples were drawn 7, 6, 4, and 2 days prior to administration of mannoheptulose. The mannoheptulose was delivered to the dogs in the form of a freeze-dried avocado meal containing 10% to 12% mannoheptulose. This preparation was adjusted to provide mannoheptulose doses of 2, 20, and 200 mg/kg body weight (MH-2, MH-20, MH-200, respectively). Fasting blood samples were collected 1, 3, 5, and 7 days after initiation of the administration of mannoheptulose. 
[0028]  Results 
[0029]  Insulin levels were lowered by up to 35% in dogs who had received the avocado meal when compared to those dogs on similar diets who had not received meal with their diets. Those changes were similar to the decreases found in mammals on caloric restricted diets. In contrast, plasma glucose concentrations of dogs fed the same standard diet which did not contain the avocado meal did not show such effects. 」
（当審訳：実施例２
【００２６】マンノヘプツロースのビーグル犬への投与について
【００２７】グルコースの代謝抑制に関連した利益を得ることを目的としたマンノヘプツロースの使用が，ビーグル犬でテストされた。合計１２匹のビーグル犬が研究のために利用され，研究期間を通じて標準的な市販の食餌が与えられた。空腹時血液サンプルがマンノヘプツロースの投与の７，６，４及び２日前に採取された。マンノヘプツロースは１０〜１２％のマンノヘプツロースを含有する凍結乾燥アボガド粉末の形で犬に与えられた。この調製は，２，２０及び２００ｍｇ/体重ｋｇ（それぞれMH-2，MH-20，MH-200）のマンノヘプツロース服用量となるように加減された。マンノヘプツロースの投与開始から１，３，５及び７日後の空腹時血液サンプルが収集された。
【００２８】結果
【００２９】アボガド粉末を与えられた犬のインスリンレベルは，食餌とともにアボガド粉末を与えられずに類似した食餌を与えられた犬との対比において，最大で３５％まで低下した。この変化は，カロリー制限をされたアボガド哺乳動物において見られる減少と類似したものであった。これに対し，アボガド粉末を含有しない同じ標準的な食餌を食べさせた犬の血中グルコース濃度は，このような効果を示さなかった。）
　
（１ｅ）「[0032]  The methods of the invention may be practiced by administering the active agents orally or parenterally, though oral administration would be the norm. When lowering of tissue metabolism is desired, as an adjunct to treatment of trauma, the active agents may be administered intravenously. 」
（当審訳：【００３２】本発明の方法は，活性物質の経口投与が標準となるが，経口でも非経口でも実施されうるものである。外傷治療の補助として，細胞組織の代謝を低めるときは，活性物質は注射によって投与されてもよい。）
　
（１ｆ）「[0033]  Dosage will depend on the agent used and will vary depending on the extent of lowering of tissue metabolism that is desired and the size and condition of the animal to which the agent is to be administered. Dosage in the range of 0.001 g/kg to about 1 g/kg would be suggested. Dosage at the lower range would be appropriate when using 2-deoxy-D-glucose in large mammals. Higher dosage, particularly of compounds such as 5-thio-D-glucose or mannitol should be readily tolerated. 」
（当審訳：【００３３】投与量は，使用される活性物質に依存し，望まれる細胞組織の代謝を低める範囲や，活性物質が投与される動物の大きさや健康状態に応じて変化するものである。投与量は，０．００１ｇ／ｋｇから約１ｇ／ｋｇの範囲が提唱される。大型哺乳動物で２−デオキシ−Ｄ−グルコースを使用する場合は，少ない範囲での投与が適切である。特に，５−チオ−Ｄ−グルコースやマンニトールのような化合物を使用する場合は，より高い範囲での投与が許容される。）
　
(１ｇ)「What we claim is:  
 1 . A method of obtaining beneficial biological results associated with caloric restriction comprising administration of a composition containing at least one active agent which blocks metabolism of glucose as a source of energy in cells in glucose metabolism blocking effective amounts to an animal in need thereof. 
 2 . The method of  claim 1  wherein the composition contains, as an agent which blocks use of glucose as a source of energy, mannoheptulose. 
 3 . The method of  claim 1  wherein the composition contains, as an agent which blocks use of glucose as a source of energy, 5-thio-D-glucose. 
 4 . The method of  claim 1  wherein the composition contains, as an agent which blocks use of glucose as a source of energy, 3-O-methylglucose. 
 5 . The method of claim 1 wherein the composition contains, as an agent which blocks use of glucose as a source of energy, an androsugar［当審注：「androsugar」との記載は，「anhydrosugar」と記載すべきところの誤記と認められる。］. 
 6 . The method of  claim 5  wherein the composition contains, as an agent which blocks use of glucose as a source of energy, 1,5-anhydro-D-glucitol. 
 7 . The method of  claim 5  wherein the composition contains, as an agent which blocks use of glucose as a source of energy, 2,5-anhydro-D-mannitol. 
 8 〜14. omitted」
（当審訳：【特許請求の範囲】
【請求項１】グルコース代謝阻止に有効な量で，それ必要する動物に対し，細胞内のエネルギー源としてのグルコースの代謝を阻止する少なくとも一つの活性物質を含有する組成物を投与することからなる，カロリー制限に関連する有益な生化学的結果を得るための方法。
【請求項２】前記組成物が，エネルギー源としてのグルコースの使用を阻止する物質としてのマンノヘプツロースである請求項１に記載の方法。
【請求項３】前記組成物が，エネルギー源としてのグルコースの使用を阻止する物質としての５−チオ−Ｄ−グルコースである請求項１に記載の方法。
【請求項４】前記組成物が，エネルギー源としてのグルコースの使用を阻止する物質としての３−Ｏ−メチルグルコースである請求項１に記載の方法。
【請求項５】前記組成物が，エネルギー源としてのグルコースの使用を阻止する物質としての無水糖である請求項１に記載の方法。
【請求項６】前記組成物が，エネルギー源としてのグルコースの使用を阻止する物質としての１，５−無水−Ｄ−グルシトールである請求項５に記載の方法。
【請求項７】前記組成物が，エネルギー源としてのグルコースの使用を阻止する物質としての２，５−無水−Ｄ−マンニトールである請求項５に記載の方法。
【請求項８】〜【請求項１４】＜略＞」
　
　これらの記載事項を総合すると，引用例１には以下の発明（以下，「引用発明１」という。）が記載されていると認められる。
　
「グルコースの代謝抑制物質を含む，犬に投与される凍結乾燥アボガド粉末であって，
　標準的な市販の食餌とともに投与され，かつ，
　前記凍結乾燥アボガド粉末の１０〜１２％が，前記グルコースの代謝抑制物質としてのマンノヘプツロースである凍結乾燥アボガド粉末。」
　
（２）引用例２
　原査定の拒絶の理由に引用された本願優先日前に頒布された刊行物である
　　米国特許出願公開第２００３／９２６６９号明細書（以下，「引用例２」という。）
には，次の事項が記載されている。
　
（２ａ）「BACKGROUND OF THE INVENTION
[0001] The present invention generally relates to an oral dietary supplement which decreases serum insulin levels.」
（当審訳：【発明の背景】
【０００１】本発明は，血中インスリンレベルを低減する経口栄養補助食品に関するものである。）　
　
（２ｂ）「[0006]  Mannoheptulose is a seven carbon sugar which is naturally found in avocado fruit. Mannoheptulose inhibits hexokinase in a predominantly competitive manner. Hexokinase is an enzyme which catalyzes the phosphorylation of glucose-6-phosphate (G6P), which is the first reaction of glycolysis. Therefore, ingestion of mannoheptulose is a logical method of decreasing insulin serum levels.」
（当審訳：【０００６】マンノヘプツロースは炭素鎖７の糖で，アボガド果実で普通に見られるものである。マンノヘプツロースは，大部分が競合的にヘキソキナーゼを阻害する。ヘキソキナーゼは，糖分解の最初の反応であるグルコース−６−リン酸のリン酸化を触媒する酵素である。したがって，マンノヘプツロースの摂取は，インスリン血中濃度を減少させるにあたり理にかなった方法である。）　
　
（２ｃ）「DETAILED DESCRIPTION OF THE PRESENT INVENTION  
[0012]  The present invention provides a novel oral dosage form and method which have many uses. Possible uses include, but are not limited to, reducing a subject's serum insulin levels and controlling obesity or otherwise affecting a subject's weight. The subject may be any animal in which one desires to affect a biological response or elicit therapeutic result. It is preferred that the subject be a mammal. It is most preferred that the subject be human. 」
（当審訳：【発明の詳細な説明】
【００１２】本発明は，様々な使用態様を有する新規な経口投与剤及び方法を提供するものである。使用態様としては，被験体の血中インスリンレベルを減少させたり，肥満や被験体の体重への作用を管理させたりするものが含まれ，また，これに限られるものではない。被験体としては，生化学的反応が影響するか治療効果が誘発されることが望まれるあらゆる動物が想定される。被験体としては，哺乳動物であることが好ましく，人間であることが最も好ましい。）
　
（２ｄ）「[0013]  The dosage form includes mannoheptulose, a seven carbon sugar which naturally occurs in avocado fruit. It most preferably includes the dextro (i.e., right or d-) isomer of mannoheptulose. The dosage form of the present invention can include any amount of mannoheptulose which will affect a biological response or elicit a therapeutic result from the subject. For example, the biological response or therapeutic result may be to reduce fasting insulin or control a subject's weight. The range of the amount of mannoheptulose in the oral dosage form of the present invention can be from approximately 1 mg-5 gm［当審注：「gm」との記載は，「g」と記載すべきところの誤記と認められる。］. The preferred range is approximately 10 mg-1000 mg. The most preferred range is approximately 50 mg-250 mg. 」
（当審訳：【００１３】投与剤には，炭素鎖７の糖であってアボガド果実で普通に見られるマンノヘプツロースが含まれる。マンノヘプツロースの右旋性異性体が含まれることが最も好ましい。本発明の投与剤には，被験体からの生化学的反応に影響したり治療効果を誘発したりするのに十分なマンノヘプツロースを含むことができる。例えば，生化学的反応や治療効果としては，空腹時インスリンを減少させたり被験体の体重を管理したりすることが挙げられる。本発明における経口投与剤中の総マンノヘプツロース量の範囲としては，約１ｍｇ〜５ｇとすることができる。約１０〜１０００ｍｇとすることが好ましく，約５０〜２５０ｍｇとするのが最も好ましい。）
　
（２ｅ）「[0018]  The present invention is also a method for preparing the novel oral dosage form of the present invention. A preferred is a method of preparation includes the step of extracting mannoheptulose from avocado fruit by ethanolic extraction. The extraction may be directly or indirectly from avocado fruit. Many varieties of avocado can be used. It is preferred to use a variety of avocado which is inexpensive, easily attainable, and which has a high concentration of mannoheptulose. The most preferred varieties of avocados for use in the present invention are Booth 7 and Lula. 」
（当審訳：【００１８】本発明は，本発明の上記新規な経口投与剤の調製のための方法でもある。好ましい調製方法は，エタノール抽出法によってアボガド果実からマンノヘプツロースを抽出する工程を含む。抽出は，アボガドから直接であっても直接でなくてもよい。いろんな種類のアボガドを利用できる。安くて入手しやすく，高濃度のマンノヘプツロースを有するアボガド種が好ましい。本発明での使用に最も好ましいアボガド種は，ブース７種又はルラ種である。）
　
３．対比
　本願発明と引用発明１とを対比すると，引用発明１の「グルコースの代謝抑制物質を含む…凍結乾燥アボガド粉末」と，本願発明の「アボカド、アルファルファ、イチジク、サクラソウ及びこれらの混合物からなる群から選択される植物の抽出物」とは，「アボガド由来の物質」である点で共通する。
　また，「ペット」との用語について，本願明細書の段落【００１６】には，「『ペット』となる用語は、家庭の犬又は猫を意味する。」と定義されていることから，引用発明１の「犬に投与される凍結乾燥アボガド粉末」と，本願発明の「ペットフード組成物」とは，「ペットフード」という概念において共通する。
　
　してみると，両発明の一致点及び相違点は以下のとおりである。
　
［一致点］
「アボガド由来の物質を含む，ペットフードであって，
　マンノヘプツロースを含む，ペットフード。」
　
［相違点１］
　「アボガド由来の物質」について，本願発明では，アボカドの「抽出物」であるのに対して，引用発明１では，アボガドの「凍結乾燥粉末」である点。
　
［相違点２］
　「ペットフード」について，本願発明では，アボガド由来の物質を含むものであって，全体として「栄養的にバランスがとれて」いる組成物であるのに対して，引用発明１では，アボガド由来の物質単体であって，「標準的な市販の食餌とともに投与」されるものの，これに混入されるものであるかは不明であり，栄養的にバランスがとれていない点。
　
［相違点３］
　「マンノヘプツロース」の含有量について，本願発明では，アボガド由来の物質を含むペットフード全体の「約５重量％未満」であるのに対して，引用発明１では，アボガド由来の物質単体のペットフードの「１０〜１２％」である点。
　
４．判断
　上記各相違点について以下に検討する。
　　
（１）相違点１について
　引用例２の上記摘記事項（２ｄ）には，インスリンを減少させるためなどにマンノヘプツロースを利用することが開示され，上記摘記事項（２ｅ）には，マンノヘプツロースをアボガドから「抽出」することについて開示されている。
　引用発明１と引用例２に記載された発明とは，いずれもアボガド由来のマンノヘプツロースを動物に投与する点で共通しているから，マンノヘプツロースの利用に当たり，引用発明１のようにアボガド粉末の形で利用することに代えて，引用例２に開示されるようにアボガドから抽出して利用することによって，上記相違点１に係る本願発明の構成とすることは，当業者が容易に想到し得た事項である。
　
（２）相違点２について
　引用発明１の「標準的な市販の食餌」は，通常，栄養的にバランスのとれたものである。また，ペット用の食餌に，薬効成分を混入することは，特に公知文献を示すまでもなく周知技術である。
　してみると，引用発明１のペットフードであるアボガド由来の物質を，同発明の「標準的な市販の食餌」に混入させることによって，上記相違点２に係る本願発明の構成とすることは，当業者が容易に想到し得た事項である。
　
（３）相違点３について
　引用例１には，上記摘記事項（１ｄ）に記載されるように，引用発明１のマンノヘプツロースの服用量を「２ｍｇ/体重ｋｇ」とすることが開示されており，この量は，本願明細書の段落【００３２】にグルコース代謝抑制物質の含有量として記載された数値範囲である「約１ｍｇ／ｋｇ〜約１５ｍｇ／ｋｇ、より有利には約２ｍｇ／ｋｇ〜約１０ｍｇ／ｋｇ、更により有利には約２ｍｇ／ｋｇ〜約５ｍｇ／ｋｇ」（「『ｋｇ』とはペットのキログラム（単位での重さ）である」）に相当するものであって，ペットの体重当たりの投与量としては，両者の間に差異はない。さらに，前記段落には，前記数値範囲を採用することが，「組成物の約５％未満、又は約２％未満、又は約０．０００１％〜約０．５％（すべて組成物に対する重量％）を含むペットフード組成物の調製を意味する。」とも説明されている。
　してみると，上記（２）欄に記載したように，引用発明１のグルコースの代謝抑制物質，すなわちマンノヘプツロースを含むアボガド由来の物質を，同発明の「標準的な市販の食餌」に混入させる際に，引用例１に記載されたマンノヘプツロースの上記服用量となるように混入割合を調整することによって，その「ペットフード組成物」における「マンノヘプツロース」の含有量が，当該組成物に対する重量パーセントで表現した場合に，上記相違点３に係る本願発明の数値範囲に収まっていると考えるのが合理的である。
　
（４）効果の予測性について
　本願発明の全体構成により奏される作用・効果は，引用発明１，引用例１及び２に記載された技術的事項並びに上記周知技術から当業者が予測できた範囲内のものである。
　
（５）まとめ　
　したがって，本願発明は，引用発明１，引用例１及び２に記載された技術的事項並びに上記周知技術に基づいて，当業者が容易に発明をすることができたものである。
　
５．むすび
　以上のとおり，本願発明は，引用発明１，引用例１及び２に記載された技術的事項並びに上記周知技術に基づいて，当業者が容易に発明をすることができたものであるから，特許法第２９条第２項の規定により特許を受けることができない。
　したがって，その余の請求項について論及するまでもなく，本願は拒絶すべきものである。
　よって，結論のとおり審決する。